(57)【要約】【課題】複数のインデックス画像の中から所望の画像の印刷枚数を簡単で効率のよい設定作業で行うことができる印刷装置及び記録媒体を提供する。【解決手段】インデックス印刷５０は印刷シートＰに縦横４×４枚合計１６枚のサムネイル画像５１がその直下に各サムネイル画像５１毎にそれぞれ異なる１文字のアルファベットのキー表示５２を伴って印刷される。ユーザは印刷したい画像のサムネイル画像５１を選択し、その下のキー表示５２に対応するキーボード３の文字キーを使って、印刷枚数分だけ押して印刷枚数を指定する。液晶表示部６に表示される印刷枚数設定ガイド画面５３を見て指定した印刷枚数の設定を確認した後、印刷キーを押して印刷を指示する。【選択図】      図７
2005103822.tif 000002
【特許請求の範囲】
【請求項１】
所定の信号を入力するキー表示がなされた複数のキーを有する入力手段と、画像データを取得するデータ取得手段と、前記データ取得手段によって取得された画像データを印刷する印刷手段とを備えた印刷装置であって、
前記データ取得手段に印刷候補の対象となる複数の実画像データにそれぞれ対応するサムネイル画像データを取得させサムネイル画像データに基づいて１枚の記録紙に複数のインデックス画像と各インデックス画像に対応させて前記入力手段が有する複数のキーのキー表示とを前記印刷手段を制御して印刷する第１の印刷制御手段と、
前記第１の印刷制御手段によって印刷されたキー表示に対応する前記入力手段のキーの操作によって当該キー表示に対応して印刷されたインデックス画像の実画像の印刷枚数を設定する印刷枚数設定手段と、
前記データ取得手段に前記印刷枚数設定手段により印刷枚数が設定された実画像データを取得させ前記印刷手段を制御してその印刷枚数だけ記録紙に印刷する第２の印刷制御手段と、
を備えたことを特徴とする印刷装置。
【請求項２】
前記印刷枚数設定手段は、
前記第１の印刷制御手段によって印刷されたキー表示に対応する前記入力手段のキーの操作回数を計数する操作回数計数手段と、
この操作回数計数手段によって計数された数を当該キー表示に対応するインデックス画像の実画像の印刷枚数として設定する手段と、
を備えることを特徴とする請求項１に記載の印刷装置。
【請求項３】
前記印刷枚数設定手段は、
前記第１の印刷制御手段によって印刷されるキー表示と、
前記入力手段のキー操作により設定される印刷枚数を対応させて表示する表示手段と、  を備えることを特徴とする求項１又は２に記載の印刷装置。
【請求項４】
更に、文字や記号の入力キーを備えて構成される前記入力手段から入力される文字や記号に基づいて文書の作成処理を行う文書作成手段を備え、
前記印刷手段は、前記文書作成手段により作成された文書を記録紙に印刷する一方、前記第１の印刷制御手段の制御を受けて１枚の記録紙に複数のインデックス画像と各インデックス画像に対応させて前記入力手段が有する複数のキーの文字や記号のキー表示とを印刷することを特徴とする請求項１、２又は３に記載の印刷装置。
【請求項５】
所定の信号を入力するキー表示がなされた複数のキーを有する入力手段と、画像データを取得するデータ取得手段と、前記データ取得手段によって取得された画像データを印刷する印刷手段とを備えた印刷装置を用いて印刷するためのコンピュータプログラムを記録した記録媒体であって、
前記データ取得手段に印刷候補の対象となる複数の実画像データに対応するサムネイル画像データを取得させサムネイル画像データに基づいて１枚の記録紙に複数のインデックス画像と各インデックス画像に対応させて前記入力手段が有する複数のキーのキー表示とを前記印刷手段を制御して印刷する手順と、
前記印刷されたキー表示に対応する前記入力手段のキーの操作によって当該キー表示に対応して印刷されたインデックス画像の実画像の印刷枚数を設定する手順と、
前記データ取得手段に前記印刷枚数設定手段により印刷枚数が設定された実画像データを取得させ前記印刷手段を制御してその印刷枚数だけ記録紙に印刷する手順と、
を含むことを特徴とするコンピュータプログラムを記録した記録媒体。
【発明の詳細な説明】
【技術分野】
【０００１】
本発明は、印刷装置及び記録媒体に関し、特にサムネイル画像から印刷枚数を設定して画像を印刷することが可能な印刷装置及び記録媒体に関する。
【背景技術】
【０００２】
従来、デジタルカメラで撮影した画像データが記録されたメモリカードを、パーソナルコンピュータ等を介さずに、印刷装置に設けられたカードスロットに直接挿入し、メモリカードに記録されている画像データを印刷装置に取り込んで印刷することが可能な印刷装置がある。（例えば、特許文献１参照）
この印刷装置では、メモリカードからサムネイル画像データを取得して１枚の記録紙に複数のサムネイル画像データに対応するインデックス画像を一覧印刷するとともに、その各インデックス画像に対応させて識別コードを印刷する。
【０００３】
その後、インデックス画像の一覧印刷の中から所望の画像を選択し印刷条件を設定して画像データをそれぞれ１枚の記録紙に大きく印刷する。この印刷条件の設定では、ユーザは印刷されたインデックス画像の一覧を参照して所望する画像の識別コードを印刷条件設定画面の所定の欄に入力する。そして、その設定画面の他の所定の入力欄に印刷枚数の入力設定を行い、複数の画像について印刷を所望する場合には、これらの設定操作を繰り返す。
【０００４】
このように、上記の印刷装置では、メモリカードから取り込んだサムネイル画像データのインデックス画像に識別コードを対応させて一覧印刷することで、この一覧印刷された画像を参照し、そこに付された識別コードを使って印刷枚数などの印刷条件を設定できる点では便利である。
【特許文献１】特開平１１−３２１０１１号公報
【発明の開示】
【発明が解決しようとする課題】
【０００５】
しかしながら、上記特許文献１の印刷装置は、その印刷条件の設定では、表示部の設定画面において所望の画像の識別コードを入力し、その識別コードに対応して印刷枚数の数値を入力しなければならず、その設定作業は画面を切替え表示して識別コード（画像）毎に行う必要があり、インデックス画像の一覧の中から複数の画像を指定して印刷したいような場合に、その設定作業が面倒であるという問題がある。
【０００６】
本発明の課題は、上記従来の実情に鑑み、複数のインデックス画像の中から所望の画像を印刷枚数を設定して印刷したい場合に、簡単で効率のよい設定作業を行うことができる印刷装置及び記録媒体を提供することである。
【課題を解決するための手段】
【０００７】
先ず、本発明の第１の発明である印刷装置は、所定の信号を入力するキー表示がなされた複数のキーを有する入力手段と、画像データを取得するデータ取得手段と、上記データ取得手段によって取得された画像データを印刷する印刷手段とを備えた印刷装置であって、上記データ取得手段に印刷候補の対象となる複数の実画像データにそれぞれ対応するサムネイル画像データを取得させサムネイル画像データに基づいて１枚の記録紙に複数のインデックス画像と各インデックス画像に対応させて上記入力手段が有する複数のキーのキー表示とを上記印刷手段を制御して印刷する第１の印刷制御手段と、上記第１の印刷制御手段によって印刷されたキー表示に対応する上記入力手段のキーの操作によって当該キー表示に対応して印刷されたインデックス画像の実画像の印刷枚数を設定する印刷枚数設定手段と、上記データ取得手段に上記印刷枚数設定手段により印刷枚数が設定された実画像データを取得させ上記印刷手段を制御してその印刷枚数だけ記録紙に印刷する第２の印刷制御手段と、を備えて構成される。
【０００８】
上記印刷枚数設定手段は、例えば上記第１の印刷制御手段によって印刷されたキー表示に対応する上記入力手段のキーの操作回数を計数する操作回数計数手段と、この操作回数計数手段によって計数された数を当該キー表示に対応するインデックス画像の実画像の印刷枚数として設定する手段と、を備えて構成され、また、例えば上記第１の印刷制御手段によって印刷されるキー表示と、上記入力手段のキー操作により設定される印刷枚数を対応させて表示する表示手段と、を備えて構成される。
【０００９】
この印刷装置は、例えば、更に、文字や記号の入力キーを備えて構成される上記入力手段から入力される文字や記号に基づいて文書の作成処理を行う文書作成手段を備え、上記印刷手段は、上記文書作成手段により作成された文書を記録紙に印刷する一方、上記第１の印刷制御手段の制御を受けて１枚の記録紙に複数のインデックス画像と各インデックス画像に対応させて上記入力手段が有する複数のキーの文字や記号のキー表示とを印刷するように構成される。
【００１０】
次に、本発明の第２の発明である記録媒体は、所定の信号を入力するキー表示がなされた複数のキーを有する入力手段と、画像データを取得するデータ取得手段と、上記データ取得手段によって取得された画像データを印刷する印刷手段とを備えた印刷装置を用いて印刷するためのコンピュータプログラムを記録した記録媒体であって、上記データ取得手段に印刷候補の対象となる複数の実画像データに対応するサムネイル画像データを取得させサムネイル画像データに基づいて１枚の記録紙に複数のインデックス画像と各インデックス画像に対応させて上記入力手段が有する複数のキーのキー表示とを上記印刷手段を制御して印刷する手順と、上記印刷されたキー表示に対応する上記入力手段のキーの操作によって当該キー表示に対応して印刷されたインデックス画像の実画像の印刷枚数を設定する手順と、上記データ取得手段に上記印刷枚数設定手段により印刷枚数が設定された実画像データを取得させ上記印刷手段を制御してその印刷枚数だけ記録紙に印刷する手順と、を含んで構成される。
【発明の効果】
【００１１】
本発明によれば、印刷候補の対象となる複数の実画像データにそれぞれ対応するサムネイル画像データに基づいて１枚の記録紙に複数のインデックス画像とこれら各インデックス画像に対応させて入力キーの表示とを印刷し、その表示された入力キーの入力操作だけによって実画像の印刷枚数を設定できるようにしたので、印刷枚数の設定作業がきわめて簡単になり、特に複数の画像を指定しその印刷枚数の設定を行う場合に効率のよい設定作業を行うことができる。
【００１２】
また、インデックス画像に基づく実画像の印刷枚数の設定を、その画像に対応する入力キーのキー操作回数によって行うようにしたので、設定操作をきわめて容易に行うことができる。
また、入力操作された入力キーのキー表示と、キー操作により設定された印刷枚数を対応させて表示するので、複数の画像の印刷枚数の設定を効率よく作業することができる。
【００１３】
また、文書又は複数の文字や記号の表示をインデックス画像とともに印刷することができるので、文字や記号の入力キーを有する文書作成装置に適用することができて便利である。
【発明を実施するための最良の形態】
【００１４】
以下、本発明の実施の形態を図面を参照しながら説明する。
図１(a) は、一実施の形態に係る印刷装置の前面側から見た外観斜視図であり、同図(b) は、その背面側から見た外観斜視図である。
この印刷装置は、住所録を作成するとともに葉書などの文面を編集し、葉書の宛名印刷及び葉書の文面を印刷するワープロ機能を有し、またデジタルカメラで撮影した写真画像を取り込んで印刷する写真画像の印刷機能を有している。
【００１５】
図１(a),(b) において、印刷装置１は、箱型の装置本体２を備え、この装置本体２の前面側には、この印刷装置１をワードプロセッサとして使用する場合に文書データを入力するための折り畳み式のキーボード３を備えている。このキーボード３は、住所録や葉書の文面を入力するための文字・記号入力キーや、文面の編集、表示画面の制御、印刷などに必要とする各種の制御キーを備えている。
【００１６】
このキーボード３は、装置本体２の前面の下部に回動可能に取り付けられ、上記のように印刷装置１をワードプロセッサとして使用する場合には、図１(a) のように装置本体２の前部に倒して水平状態として使用する。このようにキーボード３を前部に倒したことによって露出する装置本体２の前面には印刷シートの逃し穴４が設けられており、印刷動作時に印刷シートの一部が搬送の過程で、この逃し穴４から装置本体２外に突出する。
【００１７】
また、キーボード３は装置本体２の前面部に立てるように折り畳む構成となっているので、このようにキーボード３を装置本体２の前面部に折り畳んだまま印刷を実行するときのために、キーボード３にも装置本体２側の逃し穴４に対応して同様の逃し穴５が設けられている。
【００１８】
装置本体２の上面には、キーボード３から入力されたデータを表示し、各種の設定に必要なメニュー画面を表示し、またデジタルカメラから取り込んだ写真画像を表示するなどの他に、この装置で必要とする各種の情報を表示するための液晶表示部６が設けられている。
【００１９】
また、装置本体２の上面には、液晶表示部６の横に、装置の電源をオン・オフするための電源ボタン７が設けられており、更にキーボード３とは別に、写真画像の印刷処理などに対応する装置本体２の後方からでも操作が可能な構成の複数の入力キーを備えたキー操作部８が配置されている。
【００２０】
このキー操作部８には、液晶表示部６に表示されるカーソルを移動制御するためのカーソルキー９、表示画面上での種々の選択決定などを行うための決定キー１１、印刷を指示するための印刷キー１２が設けられている。
同図(b) に示すように、装置本体２の背面には、装置本体２内に通じる給紙口１３及び排紙口１４が設けられ、この給紙口１３及び排紙口１４に対応して、給紙トレイ１５及び排紙トレイ１６が設けられている。
【００２１】
また、装置本体２の背面には、複数種類のメモリカード１７の装着が可能なカードスロット１８ａ〜１８ｄが設けられている。カードスロット１８ａ〜１８ｄのいずれかにメモリカード１７が装着されると、メモリカード１７の端子がカードスロット１８ａ〜１８ｄの奥に配設されているコネクタ端子に接続し、これにより、メモリカード１７内の画像データが印刷装置１側に読み出し可能となる。
【００２２】
メモリカード１７には、デジタルカメラ等で記録された複数の写真画像データが記録されており、その各写真画像データは、サムネイル画像データを含むヘッダー及び実画像データで構成されている。
図２(a),(b) は、印刷装置１の内部の構成の説明図である。尚、同図(a) には図１(a),(b) と同一の構成部分には図１(a),(b) と同一の番号を付与して示している。
【００２３】
図２(a),(b) において、ピックアップローラ２０は、不図示の駆動モータにより反時計方向に回転駆動され、給紙トレイ１５に重ねて収容された印刷シートＰを最上部より１枚ずつ印刷装置１内に繰り込む。
このとき、ピックアップローラ２０の下部に配置された給紙レバー２１が、不図示の駆動機構により給紙トレイ１５の底部の先端付近で、印刷シートＰの先端部を突き上げてピックアップローラ２０に向けて押圧する。
【００２４】
また、第１の搬送路２２は、上記のように取り込んだ印刷シートＰの搬送を案内するためのものであり、この搬送路２２の端部には印刷シートＰの搬送を行うための駆動ローラ２３−１及び加圧ローラ２３−２からなる搬送ローラ対２３が配置されている。また、搬送路２２の途中には、反射型の光センサからなる第１の紙センサ２５が設けられている。
【００２５】
なお、搬送ローラ対２３の右側には、前述した図１に示す逃し穴４が配置され、装置本体２内に搬入された印刷シートＰの先端がその搬送の途中に一旦逃し穴４を通して装置本体２外に突出するようになっている。
また、第２の搬送路２６は、第１の搬送路２２を経て搬入された印刷シートＰが、その搬送方向を、同図(ｂ) に示すように反転したときに、その印刷シートＰの印刷から装置本体２外への搬出までの搬送を案内するためのものであり、この搬送路２６の途中にはインクジェット方式の印刷機構が配置されている。
【００２６】
印刷機構は、ガイドレール２７に沿って印刷シートＰの搬送方向と直交する方向に往復移動するキャリッジ２８を備え、このキャリッジ２８には、印刷ヘッド２９が搭載されている。印刷ヘッド２９は、Ｙ（イエロー）、Ｍ（マゼンタ）、Ｃ（シアン）の各色インクをそれぞれ吐出する複数のノズルを備えている。
【００２７】
また、キャリッジ２８には、第２の搬送路２６に面して第２の紙センサ３１が設けられる。また、印刷ヘッド２９の下方には、余分なインクを吸収するインク受け部３２が配置されている。
また、排紙口１４に臨む第２の搬送路２６の終端部には、印刷後の印刷シートＰを排出するためにピックアップローラ２０に当接して従動する点接ローラ３３が設けられている。この点接ローラ３３は印刷シートＰの印刷面と反対側の面に接触するピックアップローラ２０に対向して印刷シートＰの印刷面に点接する。
【００２８】
次に、印刷装置の動作について説明する。
印刷開始の指示があると、図２(a) に示すように、ピックアップローラ２０が反時計方向に回転駆動され、このピックアップローラ２０が給紙レバー２１と協働して印刷シートＰを第１の搬送路２２に向けて給紙する。
【００２９】
ピックアップローラ２０によって第１の搬送路２２を搬送される印刷シートＰは、搬送ローラ対２３に搬送を受け継がれる。搬送を受け継がれた印刷シートＰは、その後端近部が搬送ローラ対２３の位置に達するまで、搬送ローラ対２３によって更に搬送される。
印刷シートＰが第１の搬送路２２を搬送される過程で第１の紙センサ２５が印刷シートＰを検知しており、印刷シートＰの後端が第１の紙センサ２５の位置を抜けたところから所定の距離だけ搬送されたところで、搬送ローラ対２３の駆動ローラ２３−１の時計方向の回転が停止される。
【００３０】
次に、同図(b) に示すように、駆動ローラ２３−１が反時計方向に回転すると、印刷シートＰは搬入時とは逆に後端側を先端として第２の搬送路２６を排紙口１４に向けて搬送される。
この第２の搬送路２６を搬送される印刷シートＰの先端側が、第２の紙センサ３１によって検知されたことに基づいて、キャリッジ２８の移動が開始され、印刷ヘッド２９が印字駆動されて印刷シートＰに対して印刷が行われる。印刷が終了すると、印刷シートＰはピックアップローラ２０と点接ローラ３３によって排紙口１４を介して装置外部の排紙トレイ１６上に排出される。
【００３１】
図３は印刷装置１のブロック図である。同図に示すように、この印刷装置１は、制御部（ＣＰＵ）３５を備えている。ＣＰＵ３５は、ＲＯＭ３６に格納された制御プログラムを読み出して、この読み出した制御プログラムによって装置の各部を制御する。
また、ＲＡＭ３７が備えられている。ＲＡＭ３７には、入力されたデータや表示のためのデータ、あるいは印刷データが格納され、その他の必要な処理に関するデータが格納される。
【００３２】
また、制御部３５には、印刷部３８、メモリカード制御部３９、表示部４１、及び図１(a),(b) に示したキーボード３とキー操作部８も接続されている。印刷部３８は、上述した印刷機構を制御する回路であり、表示部４１は、上述した液晶表示部６を表示駆動する回路である。
【００３３】
また、メモリカード制御部３９は、上述したカードスロット１８ａ〜１８ｄに挿入されたメモリカード１７から、メモリカードコネクタ４２を介して画像データを取り込んで、その取り込んだが像データを制御部３５に転送する回路である。
この印刷装置１は、メモリカード１７から取り込んだ画像データの画像を印刷するための、第１及び第２の写真画像印刷モードを備えている。
【００３４】
第１の写真画像印刷モードは、メモリカード１７からサムネイル画像データを取得し、それを４画像づつ表示部６に表示し、その中から選択された画像を印刷する画像印刷モードである。
第２の写真画像印刷モードでは、先ず、メモリカード１７からサムネイル画像データを取得し、それを１枚の印刷シートにインデックス印刷し、その各インデックス画像にキーボード３に配設されている入力キーのキー表示を対応づけて印刷する第１の印刷処理を行う。次に、上記キー表示付のインデックス画像の印刷に基づいて、ユーザによりキーボードを使用して各画像の印刷枚数が設定される。そして、その枚数設定に従って実画像データをメモリカード１７から取得して、その取得した実画像データの画像を印刷する第２の印刷処理を行う。
【００３５】
図４は、キーボード３の入力キーの配置を示す図である。キーボード３には、中央部を中心にして大きく左下にわたって数字キー、英文字キー、記号キーからなるデータ入力部４３が配置されている。このデータ入力部４３の上方に、上記の第１の写真画像印刷モードを選択入力するための「第１モード」キー４４、第２の写真画像印刷モードを選択入力するための「第２モード」キー４５、及び選択入力した画像印刷モードによる印刷実行を指示するための「印刷」キー４６が配置されている。
【００３６】
また、データ入力部４３の右方には、上下左右にカーソルを移動させるための４個のカーソルキー４７と、キー入力を確定するための「決定」キー４８が配設されている。
図５は、上記第１の写真画像印刷モードによる印刷処理を説明するフローチャートである。尚、この処理は、ユーザからの入力指示に基づいて、図３に示すＣＰＵ３５により、各部を制御しながら実行される処理である。
【００３７】
図５において、図４に示した「第１モード」キー４４が押されると処理が開始される。先ず、メモリカード制御部３９により、メモリカードコネクタ４２を介してメモリカード１７からサムネイル画像データが読み出される（Ｓ１）。
次に、表示部４１により、上記読み出されたサムネイル画像データの先頭から四枚のサムネイル画像が液晶表示部６に縦横２×２の配置で表示される（Ｓ２）。尚、本例では、４枚のサムネイル画像が液晶表示部６に表示される際は、サムネイル画像を選択するためのカーソルが左上のサムネイル画像を指示する位置に表示される。
【００３８】
続いて、ＣＰＵ３５は、ユーザによりキーボード３の「決定」キー４８又はキー操作部８の決定キー１１が押されているか否かを判別する（Ｓ３）。そして、押されていれば（Ｓ３がＹ）、初期選択されている左上の１枚がユーザによって選択されたのであり、この１枚を選択画像として決定する（Ｓ４）。
【００３９】
次に、ＣＰＵ３５は、ユーザによりキーボード３の「印刷」キー４６又はキー操作部８の印刷キー１２が押されるまで待機し（Ｓ５がＮ）、押されたならば（Ｓ５がＹ）、上記選択が決定しているサムネイル画像の実画像データをメモリカード１７から読み出して（Ｓ６）、この読み出した画像データに基づいて、印刷部３８により印刷データを作成する（Ｓ７）。
【００４０】
続いて、印刷部３８により上記作成された印刷データに基づいて上記選択されたサムネイル画像データに対応する実画像が印刷シートＰに印刷される（Ｓ８）。
上記の処理Ｓ３の判別で、「決定」キー４８又は決定キー１１が押されていないときは（Ｓ３がＮ）、キーボード３の４個のカーソルキー４７のうちの上下いずれかのカーソルキー又はキー操作部８の４個カーソルキー９のうちの上下いずれかのカーソルキーが押されているか否かを判別する（Ｓ９）。
【００４１】
そして、押されていれば（Ｓ９がＹ）、処理Ｓ１に戻り、上向きのカーソルキーの場合は直前の４枚（最初の場合は最後の４枚）、下向きのカーソルキーであれば次の４枚のサムネイル画像データをメモリカード１７から読み出して、処理Ｓ２〜Ｓ８を行う。
また、上記の処理Ｓ９の判別で、押されたカーソルキーが、４個カーソルキーのうちの上下いずれかのカーソルキーでもないときは（Ｓ９がＮ）、続いて、押されたカーソルキーが左右いずれかのカーソルキーであるか否かを判別する（Ｓ１０）。
【００４２】
そして、左右いずれかのカーソルキーが押されていれば（Ｓ１０がＹ）、右向きカーソルの場合は時計回り方向に、左向きカーソルキーの場合は反時計回り方向に、左上の１枚のサムネイル画像から順にカーソルを移動させて表示し（Ｓ１１）、処理Ｓ３に戻る。
このようにして、メモリカード１７からサムネイル画像が４枚ごとに読み出されて液晶表示部６に表示され、この表示を４枚毎に変更させることができる。そして、印刷したい画像のサムネイル画像を選択し、印刷を指示入力することによって、選択したサムネイル画像に対応する実画像が印刷される。
【００４３】
次に、「第２モード」キー４５によって選択される第２の写真画像印刷モードについて説明する。尚、この実施の形態においては、処理方法が異なるだけで、印刷装置の構成は図１乃至図４に示したものと同一である。
図６は、第２の写真画像印刷モードによる印刷処理を説明するフローチャートである。この処理も、ユーザからの入力指示に基づいて、図３に示すＣＰＵ３５により、各部を制御しながら実行される。
【００４４】
図６において、図４に示した「第２モード」キー４５が押されると処理が開始される。先ず、メモリカード制御部３９により、メモリカードコネクタ４２を介してメモリカード１７からサムネイル画像データが読み出される（Ｓ１０１）。
次に、ＣＰＵ３５は、上記読み出されたサムネイル画像データの先頭から例えば１６枚のサムネイル画像データにキー表示を付加したインデックス印刷データを作成し（Ｓ１０２）、このインデックス印刷データに基づいて、印刷部３８を介して印刷シートＰに１６枚のサムネイル画像をキー表示付きで印刷出力させる（Ｓ１０３）。
【００４５】
図７は、キー表示付きで複数枚のサムネイル画像が印刷されたインデックス印刷の例を示す図である。同図に示すように、インデックス印刷５０は、印刷シートＰに、縦横４×４枚、合計１６枚のサムネイル画像５１が印刷され、各サムネイル画像５１の直下に各サムネイル画像５１毎にそれぞれ異なる１文字のアルファベットからなるキー表示５２が印刷されたものである。
【００４６】
尚、このキー表示５２は、アルファベットキーと限ることなく、例えば記号キー、数字キー等でもよい。ただし数字キーは、後述する印刷枚数の入力の際に、見た目に紛らわしくなる虞があるので、でき得れば避けたほうがよいと考えられる。
また、このキー表示５２は、これも後述する印刷枚数の入力方法からみて、アルファベット、記号、数字のいずれのキー表示の場合でも一文字の表示に限るものである。
【００４７】
ここでユーザは、上記印刷出力されたサムネイル画像が一覧印刷されたインデックス印刷５０を見ながら、印刷を所望する画像の選択及びその印刷枚数設定の準備作業を行う。この準備作業は、例えば所望のサムネイル画像５１の下に表示されているキー表示５２に適宜のマークを付けながら、印刷したい画像を選択すると共に、印刷枚数を記入するなど任意の方法によって行う。
【００４８】
処理Ｓ１０３のインデックス印刷が終了すると、ＣＰＵ３５は、図１(a),(b) に示した液晶表示部６に、印刷枚数の設定ガイド画面を表示する（Ｓ１０４）。
図８は、液晶表示部６に表示される印刷枚数設定ガイド画面の例を示す図である。同図に示すように、印刷枚数設定ガイド画面５３には、最上部５４に「印刷枚数設定」と表示され、最下部５５には、二段に分かれて「文字キーの操作回数で印刷枚数が設定できます。」、「印刷キーの操作で印刷します。」と表示され、そして、中間部５６には縦２列に分かれて、Ｑ、Ｗ、Ｅ、・・・、Ｙ、Ｕ、Ｉの１６個の文字キー５７と、それらの文字キー５７に対応する印刷画像の枚数を示す枚数表示部５８が、初期値として「０枚」と表示されている。
【００４９】
上記に続いて、ＣＰＵ３５は、所定の文字キー、すなわち印刷枚数設定ガイド画面５３に表示されているいずれかの文字キー５７が入力操作されたか否かを判別する（Ｓ１０５）。
これにより、ユーザが、上記のインデックス印刷５０を見ながら印刷したい画像を選択し、そのサムネイル画像５１の下に表示されているキー表示５２に対応する文字キー５７を、キーボード３から入力操作すると、所定の文字キーが入力されたと判別される（Ｓ１０５がＹ）。
【００５０】
ＣＰＵ３５は、ユーザが所定の文字キー５７を入力操作するごとに、その入力操作回数を内蔵のカウンタで計数し（Ｓ１０６）、その計数値を、印刷枚数設定ガイド画面５３の入力操作された文字キー５７に対応する枚数表示部５８に上書き表示して前に表示されていた数値を更新する（Ｓ１０７）。
【００５１】
そして、処理Ｓ１０５、Ｓ１０６、Ｓ１０７を繰り返す。これにより、枚数表示部５８の表示が「０枚」から入力操作回数に応じて順次「１」インクリメントされながら表示が更新されていく。
尚、上記の処理Ｓ１０６では、ユーザが枚数の入力を間違えたときは、図４では図示を省略したキャンセルキーを入力操作することができる。キャンセルキーを入力操作する毎に、直前の枚数入力操作が取り消され、枚数表示部５８の表示が「１」デクリメントされながら表示が訂正されていく。
【００５２】
これら各枚数表示部５８に更新されながら表示される入力操作の計数値は、所定の文字キー５７、すなわち所定の文字キー５７に対応するインデックス印刷５０のキー表示５２に対応するサムネイル画像５１に対応付けられて、ＲＡＭ３７の所定の記憶領域に記憶される。
【００５３】
ここで、ユーザは、印刷したい画像に対する所定の文字キー５７の入力操作を全て終了すると、キーボード３の「印刷」キー４６又はキー操作部８の印刷キー１２を押すことになる。
これにより、ＣＰＵ３５は、上記判別の処理Ｓ１０５において、所定の文字キー５７以外の入力キーが押されたと判別する（Ｓ１０５がＮ）。そして、この場合は、続いて上記入力操作されたキーが「印刷」キー４６又は印刷キー１２であるか否かを判別する。
【００５４】
そして、入力操作されたキーが「印刷」キー４６又は印刷キー１２であったときは（Ｓ１０８がＹ）、印刷枚数が入力されている所定の文字キー５７のキー表示５２に基づいてサムネイル画像５１を選択し（Ｓ１０９）、そのサムネイル画像５１に対応する実画像データをメモリカード１７から読み出し（Ｓ１１０）、その読み出した実画像データによる印刷データを印刷部３８により作成し（Ｓ１１１）、その作成した印刷データに基づく画像の印刷シートＰへの印刷を実行する（Ｓ１１２）。
【００５５】
次に、その印刷した画像データのサムネイル画像５１に対応付けられてＲＡＭ３７の所定の記憶領域に記憶されている印刷枚数を参照し、所定枚数（ユーザによる入力操作で指定された枚数）が印刷されたか否かを判別し（Ｓ１１３）、未だ所定枚数の印刷を終了していなければ（Ｓ１１３がＮ）、処理Ｓ１１２に戻って処理Ｓ１１２、Ｓ１１３を繰り返す。これにより、１枚の同一画像に対して、ユーザによる入力操作で指定された枚数だけの印刷が実行される。
【００５６】
そして、ＣＰＵ３５は、上記の処理Ｓ１１３の判別で、所定枚数の印刷を終了したと判別したときは（Ｓ１１３がＹ）、続いて、全選択画像の印刷が終了しているかを判別し（Ｓ１１４）、全選択画像の印刷が終了していないときは（Ｓ１１４がＮ）、処理Ｓ１０９に戻って、処理Ｓ１０９〜Ｓ１１４の処理を繰り返す。
【００５７】
これにより、ユーザがインデックス印刷５０及び印刷枚数設定ガイド画面５３によって選択し、印刷枚数を入力した全ての画像が、指定枚数だけ印刷される。
そして、ＣＰＵ３５が、処理Ｓ１１４の判別で、全選択画像の印刷が終了したことを判別することによって（Ａ１１４がＹ）、この印刷処理が終了する。
【図面の簡単な説明】
【００５８】
【図１】(a) は一実施の形態に係る印刷装置の前面側から見た外観斜視図、(b) はその背面側から見た外観斜視図である。
【図２】(a),(b) は印刷装置の内部の構成の説明図である。
【図３】印刷装置のブロック図である。
【図４】キーボードの入力キーの配置を示す図である。
【図５】第１の写真画像印刷モードによる印刷処理を説明するフローチャートである。
【図６】第２の写真画像印刷モードによる印刷処理を説明するフローチャートである。
【図７】第２の写真画像印刷モードにおいて複数枚のサムネイル画像がキー表示付きで印刷されたインデックス印刷の例を示す図である。
【図８】第２の写真画像印刷モードにおいて液晶表示部に表示される印刷枚数設定ガイド画面の例を示す図である。
【符号の説明】
【００５９】
１      印刷装置
２      装置本体
３      キーボード
４、５  逃し穴
６      液晶表示部
７      電源ボタン
８      キー操作部
９      カーソルキー
１１    決定キー
１２    印刷キー
１３    給紙口
１４    排紙口
１５    給紙トレイ
１６    排紙トレイ
１７    メモリカード
１８ａ〜１８ｄ  カードスロット
２０    ピックアップローラ
Ｐ      印刷シート
２１    給紙レバー
２２    第１の搬送路
２３    搬送ローラ対
２３−１  駆動ローラ
２３−２  加圧ローラ
２５    第１の紙センサ
２６    第２の搬送路
２７    ガイドレール
２８    キャリッジ
２９    印刷ヘッド
３１    第２の紙センサ
３２    インク受け部
３３    点接ローラ
３５    制御部（ＣＰＵ）
３６    ＲＯＭ
３７    ＲＡＭ
３８    印刷部
３９    メモリカード制御部
４１    表示部
４２    メモリカードコネクタ
４３    データ入力部
４４    「第１モード」キー
４５    「第２モード」キー
４６    「印刷」キー
４７    カーソルキー
４８    「決定」キー
５０    インデックス印刷
５１    サムネイル画像
５２    キー表示
５３    印刷枚数設定ガイド画面
５４    最上部
５５    最下部
５６    中間部
５７    文字キー
５８    枚数表示部
【図１】
2005103822.tif 000003
【図２】
2005103822.tif 000004
【図３】
2005103822.tif 000005
【図４】
2005103822.tif 000006
【図５】
2005103822.tif 000007
【図６】
2005103822.tif 000008
【図７】
2005103822.tif 000009
【図８】
2005103822.tif 000010